(57)【要約】【課題】  個人情報等の保護を必要とする情報を送信する際に、送信予約フォルダなどから保護を必要とする情報が漏洩することを防止する。【解決手段】  送信予約画面などで保護が必要な情報であることを入力すると、受け付け番号を表示し、送信情報、送信レポート、送信に失敗した旨のエラーレポートなどには、送信先とタイトルをマスクし、受け付け番号を表示する。【選択図】    図１
2008053779.tif 000002
【特許請求の範囲】
【請求項１】
外部端末へ情報を送信する通信端末装置において、
送信データが保護を必要とする情報を含んでいる旨を、送信予約時に受け付けるための受け付け手段と、
保護を必要とする情報を含む送信データの送信予約に対して、受け付け番号をユーザに対して発行するための受け付け番号発行手段と、
保護を必要とする情報を含む送信データの送信状況を、前記受け付け番号を用いてユーザに対して出力するための送信管理手段、とを設けたことを特徴とする、通信端末装置。
【請求項２】
通信端末装置がユーザ端末から送信予約を受け付ける際に、前記受け付け手段は送信データが保護を必要とする情報を含んでいる旨の入力を受け付けて、
前記受け付け番号発行手段は、ユーザ端末の表示画面に受け付け番号が表示されるようにすることを特徴とする、請求項１の通信端末装置。
【請求項３】
通信端末装置に設けたユーザインターフェースから送信予約を受け付ける際に、該ユーザインターフェースを介して前記受け付け手段は送信データが保護を必要とする情報を含んでいる旨の入力を受け付け、
前記受け付け番号発行手段が発行する受け付け番号を、前記ユーザインターフェースに表示するようにしたことを特徴とする、請求項１の通信端末装置。
【請求項４】
通信端末装置に設けたユーザインターフェースから送信予約を受け付ける際に、該ユーザインターフェースを介して前記受け付け手段は送信データが保護を必要とする情報を含んでいる旨の入力を受け付け、
前記受け付け番号発行手段が発行する受け付け番号を、通信端末装置のプリンタでプリントするようにしたことを特徴とする、請求項１の通信端末装置。
【請求項５】
前記受け付け番号を発行した送信予約に対し、前記送信管理手段は送信状況をユーザへ出力する際に送信先をマスクするようにしたことを特徴とする、請求項１〜４のいずれかの通信端末装置。
【請求項６】
前記受け付け番号を発行した送信予約に関して送信エラーが生じた際に、前記送信管理手段は、送信データを表示せずに受け付け番号で送信予約を特定して、ユーザに送信エラーが生じたことを通知するようにしたことを特徴とする、請求項５の通信端末装置。
【請求項７】
保護を必要とする情報へのアクセス権限を認証するための認証手段をさらに設けて、アクセス権限が認証されたユーザのみが、送信データへアクセスし得るようにしたことを特徴とする、請求項５または６の通信端末装置。
【請求項８】
通信端末装置から外部端末へ情報を送信する際に、
送信データが保護を必要とする情報を含んでいる旨を、通信端末装置が送信予約時に受け付け、
保護を必要とする情報を含む送信データの送信予約に対して、通信端末装置が受け付け番号をユーザに対して発行し、
保護を必要とする情報を含む送信データの送信状況を、通信端末装置は、送信先をマスクしながら、前記受け付け番号を用いてユーザへ出力することを特徴とする、通信方法。
【請求項９】
ユーザ端末からの送信予約により、通信端末装置から外部端末へ情報を送信するシステムにおいて、
前記通信端末装置に、
送信データが保護を必要とする情報を含んでいる旨を、ユーザ端末からの送信予約時に受け付けるための受け付け手段と、
保護を必要とする情報を含む送信データの送信予約に対して、受け付け番号を発行してユーザ端末の表示画面に表示させるための受け付け番号発生手段と、
保護を必要とする情報を含む送信データの送信状況を、送信先をマスクしながら、前記受け付け番号を用いて、ユーザ端末の表示画面に表示させるための送信管理手段、
とを設けたことを特徴とする、通信システム。
【発明の詳細な説明】
【技術分野】
【０００１】
この発明は、パーソナルコンピュータやファクシミリ装置、複合機、インターネットファクシミリ装置、メールサーバなどの通信端末装置や、これらに関する通信方法及び通信システムに関し、特に"保護が必要な情報"の取り扱いに関する。
【背景技術】
【０００２】
秘密の情報に対して、暗号化により通信路での漏洩を防止し、また情報にアクセスし得るものをパスワードなどにより制限することが行われている。発明者はこれとは別に、名簿やカルテ、経歴書などのように、いわゆる秘密情報ではないものの、保護を要する情報が有ることに着目した。保護を必要とする情報は例えば個人情報である。そこで発明者は、このような保護を必要とする情報(Information Requiring Protection:ＩＲＰ)に対する取り扱いを検討した。特に保護を必要とする情報を送信する際に、送信予約フォルダなどでの送信状況の表示、送信に失敗した際のエラーレポートでの送信データの表示、また送信管理レポートなどから、保護を必要とする情報が漏洩する可能性に付いて着目した。
【発明の開示】
【発明が解決しようとする課題】
【０００３】
この発明の課題は、保護を必要とする情報を送信する際に、送信状況の表示や、送信に失敗した際に発行されるエラーレポート、送信管理レポートなどから、保護を必要とする情報が漏洩することを防止することにある。
この発明では特に、送信予約時に受け付け番号を発行することにより、送信先などによらずに、送信状況をユーザが確認できるようにすることを課題とする。
請求項５の発明での追加の課題は、送信状況の出力から保護を必要とする情報の送信先が露呈することを防止することにある。
請求項６の発明での追加の課題は、送信エラーのレポートなどから、保護を必要とする情報が露呈することを防止することにある。
【課題を解決するための手段】
【０００４】
この発明は、外部端末へ情報を送信する通信端末装置において、
送信データが保護を必要とする情報を含んでいる旨を、送信予約時に受け付けるための受け付け手段と、
保護を必要とする情報を含む送信データの送信予約に対して、受け付け番号をユーザに対して発行するための受け付け番号発行手段と、
保護を必要とする情報を含む送信データの送信状況を、前記受け付け番号を用いてユーザに対して出力するための送信管理手段、とを設けたことを特徴とする。
【０００５】
またこの発明は、通信端末装置から外部端末へ情報を送信する際に、
送信データが保護を必要とする情報を含んでいる旨を、通信端末装置が送信予約時に受け付け、
保護を必要とする情報を含む送信データの送信予約に対して、通信端末装置が受け付け番号をユーザに対して発行し、
保護を必要とする情報を含む送信データの送信状況を、通信端末装置は、送信先をマスクしながら、前記受け付け番号を用いてユーザへ出力することを特徴とする、通信方法にある。
【０００６】
この発明はさらに、ユーザ端末からの送信予約により、通信端末装置から外部端末へ情報を送信するシステムにおいて、
前記通信端末装置に、
送信データが保護を必要とする情報を含んでいる旨を、ユーザ端末からの送信予約時に受け付けるための受け付け手段と、
保護を必要とする情報を含む送信データの送信予約に対して、受け付け番号を発行してユーザ端末の表示画面に表示させるための受け付け番号発生手段と、
保護を必要とする情報を含む送信データの送信状況を、送信先をマスクしながら、前記受け付け番号を用いて、ユーザ端末の表示画面に表示させるための送信管理手段、  とを設けたことを特徴とする。
【０００７】
この明細書において、通信端末装置に関する記載は特に断らない限り、これを用いた通信方法や通信システムにも当てはまり、通信方法や通信システムに関する記載は通信端末や通信システムにも当てはまる。
【０００８】
好ましくは、通信端末装置がユーザ端末から送信予約を受け付ける際に、前記受け付け手段は送信データが保護を必要とする情報を含んでいる旨の入力を受け付けて、前記受け付け番号発行手段は、ユーザ端末の表示画面に受け付け番号が表示されるようにする。
また好ましくは、通信端末装置に設けたユーザインターフェースから送信予約を受け付ける際に、該ユーザインターフェースを介して前記受け付け手段は送信データが保護を必要とする情報を含んでいる旨の入力を受け付け、前記受け付け番号発行手段が発行する受け付け番号を、前記ユーザインターフェースに表示する。
あるいは好ましくは、通信端末装置に設けたユーザインターフェースから送信予約を受け付ける際に、該ユーザインターフェースを介して前記受け付け手段は送信データが保護を必要とする情報を含んでいる旨の入力を受け付け、前記受け付け番号発行手段が発行する受け付け番号を、通信端末装置のプリンタでプリントする。
特に好ましくは、通信端末装置のユーザインターフェースに受け付け番号を表示すると共に、通信端末装置のプリンタから受け付け番号をプリントする。
【０００９】
好ましくは、前記受け付け番号を発行した送信予約に対し、前記送信管理手段は送信状況をユーザへ出力する際に送信先をマスクする。
また好ましくは、前記受け付け番号を発行した送信予約に関して送信エラーが生じた際に、前記送信管理手段は、送信データを表示せずに受け付け番号で送信予約を特定して、ユーザに送信エラーが生じたことを通知する。
【００１０】
好ましくは、保護を必要とする情報へのアクセス権限を認証するための認証手段をさらに設けて、アクセス権限が認証されたユーザのみが、送信データへアクセスし得るようにする。
【発明の効果】
【００１１】
この発明では、送信予約時に送信データが保護を必要とする情報を含んでいる旨を受け付け、送信予約に対して受け付け番号をユーザに発行する。ユーザは受け付け番号で送信データの送信状況を確認できるので、送信先などを第３者に知られることなく、保護を必要とする情報を送信し、送信状況や送信結果を確認できる。
【００１２】
送信予約の受け付けは、ユーザ端末や通信端末装置に設けたユーザインターフェースで行えば良く、ユーザ端末の表示画面やユーザインターフェースに受け付け番号を表示する。ここで通信端末装置のユーザインターフェースから送信予約が行われた場合、通信端末装置のプリンタで受け付け番号をプリントすると、第３者の目に触れずに、受け付け番号をプリントできる。
ここで、受け付け番号と共にパスワードなどの認証データをユーザに発行し、具体的にはユーザ端末の表示画面やユーザインターフェースにパスワードなどの認証データを表示する。ここで通信端末装置のユーザインターフェースから送信予約が行われた場合、通信端末装置のプリンタでパスワードなどの認証データをプリントしても良い。またユーザ端末の入力手段や通信端末装置のユーザインターフェースから、ユーザにパスワードや指紋データなどの認証データを入力させても良い。このようにすると、保護を必要とする情報のファイルの送信中止、送信状況の表示やプリントなどの権限を管理できて便利である。
【００１３】
受け付け番号を発行した送信予約に対しては、送信先をマスクして送信状況を出力するので、送信先が知られることがない。また送信エラーが生じた場合、送信データ自体を表示せずに、受け付け番号で送信予約を特定してユーザに通知するので、送信エラーの通知から、保護が必要な情報が露呈することがない。
【００１４】
さらに保護を必要とする情報へのアクセス権限を認証し、管理者や、送信予約を行った者などの権限のあるユーザには送信データへアクセスできるようにし、これ以外のユーザは送信データにアクセスできないようにすると、保護が必要な情報の漏洩をより確実に防止できる。
【発明を実施するための最良の形態】
【００１５】
以下に本発明を実施するための最適実施例を示す。
【実施例】
【００１６】
図１〜図４に、複合機２を例に実施例を示すが、通信端末装置の種類は任意である。複合機２は、ＬＡＮ４を介してパーソナルコンピュータなどで構成された、管理者端末５とユーザ端末６に接続されている。また複合機２は、ゲートウェイ８などを介して、インターネット１０に接続され、ＬＡＮ４を介してネットワークプリンタ１２からネットワークプリントを行い、公衆電話回線網１４(ＰＳＴＮ)を介してＧ３ファクシミリ通信を行う。
【００１７】
１６はＬＡＮインターフェースで、１８はスキャナであり、原稿画像の読み取りを行い、２０はプリンタで、画像をプリントする。２２はＧ３ファクシミリ処理部で、Ｇ３ファクシミリの送受信を行い、２４はＨＴＴＰサーバで、端末５，６等に対してＨＴＴＰサーバとして動作する。２６はＳＭＴＰクライアントで、ｅメールやインターネットファクシミリの送信に用い、２８はＰＯＰクライアントで、ｅメール等の受信処理に用いる。
【００１８】
３０はファイルメモリで、スキャナ１８で読み取った画像データや、端末５，６等から受信した画像データ、並びにＧ３ファクシミリにより受信した画像データ、及び各種の文書データなどを記憶する。３２はインデックスメモリで、ファイルメモリ３０の各ファイルに対するインデックス情報を記憶する。保護を必要とする情報を含むファイルに対しては、保護属性がセットされ、この属性はインデックスメモり３２に記憶されている。また保護属性はファイルに対応するものであり、ファイルを送信あるいは転送，配信する場合、保護属性もファイルに適宜の形で付加して送信，転送，配信する。３４はユーザインターフェースで、例えば液晶表示画面(ＬＣＤ)とタッチパネルとを重ねたもので、他にテンキーやキーボードなどを備えていても良い。ユーザインターフェース３４は複合機２をユーザが使用する際に、マニュアルで入力を行うインターフェースで、保護を必要とする属性もユーザインターフェース３４からセットできる。
【００１９】
送信管理部３６は、複合機２からのファイルの送信に関して、送信予約を受け付け、送信の実行状況や送信結果を記憶する。また送信が失敗した場合、エラーレポートを出力し、送信結果のリストを送信管理レポートとして出力し、ＨＴＴＰサーバ２４やユーザインターフェース３４を介して、送信フォルダをユーザに対して表示あるいはプリントする。送信するファイルは、端末５，６やインターネット１０あるいは公衆電話回線網１４などから受信したデータ、及びスキャナ１８で読み取った画像データなどである。受信管理部３８はファイルの受信を管理し、送信元や受信の日時、タイトル、受信の良否などの結果を記憶し、これらを受信フォルダの形で、端末５，６やユーザインターフェース３４で表示あるいはプリントし、また受信ファイルのリストを出力する。ログファイル４０は複合機２で実行した処理を記憶し、送信管理部３６での送信管理データや受信管理部３８での受信管理データを、そのままあるいは要約して記憶する。
【００２０】
保護属性設定部４２は、保護を必要とする情報を含むファイルに対して、保護属性を設定する。設定された属性は、インデックス情報としてインデックスメモり３２に記憶される。そして保護属性が設定されているファイルの送信に際しては、送信管理部３６は送信先やタイトル名などの、保護を必要とする情報の漏洩に繋がるデータを表示もプリントもしないようにし、送信先に代えて受け付け番号で送信ジョブを特定する。権限認証部４４は複合機２を操作するユーザの権限を認証し、認証にはパスワードや指紋などを用い、権限レベルには、例えば管理者と、特定の事項に対して権限のあるユーザ、並びに一般ユーザの３段階がある。
【００２１】
管理者は保護を必要とする情報を含むファイルに対して任意のアクセスができ、送信管理部の送信管理データや受信管理部の受信管理データに、受け付け番号でも、送信先や送信元を指定することでもアクセスできる。そして送信予約の取消や、保護が必要な情報を含むファイルの削除、プリント、表示、転送、配信、編集などの任意の処理ができる。保護が必要な情報の送信を予約したユーザは、予約時にパスワードを入力もしくは交付され、あるいは指紋データなどの認証データを入力する。パスワードや指紋などの認証データは、端末５，６からでも、ユーザインターフェース３４からでも入力できる。入力あるいは交付された認証データは、端末５，６あるいはユーザインターフェース３４に表示され、ユーザインターフェース３４から送信予約した場合は、パスワードをプリンタ２０でプリントしても良い。アクセス権限のあるユーザは、権限認証部４４でアクセス権限を認証されると、送信予約を自ら行った送信ジョブに関し、送信管理データから送信状況の詳細を知る、送信予約を取り消す、などの処理ができる。ただし送信済みのファイルの抹消、編集、ログファイルの編集などは、保護を必要とする情報を不正に送信した後に、記録を抹消することにつながるので、認めなくても良い。
【００２２】
アクセス制限部４６は保護が必要な情報を含むファイルに対し、アクセスを制限する。前記のように管理者は、保護が必要な情報を含むファイルに対して無制限にアクセスでき、かつ送信、転送、配信、削除、プリント、表示などのファイル操作も任意に行える。また保護が必要な情報を含むファイルの送信予約を行ったユーザも、同様に自ら予約した送信ファイルに対し、送信状況の表示やプリント、送信の中止などの範囲でアクセスできる。送信予約を行ったユーザと、送信ファイルを作成したユーザとが別個の場合、例えば送信ファイルを作成したユーザも、パスワードや指紋などで認証を受けることを条件に、送信予約を行ったユーザと同様のアクセスができる。
【００２３】
これ以外のユーザは、保護が必要な情報を含む送信データに対する、アクセスが制限される。受信データが保護が必要な情報を含む場合、アクセスすべきユーザが指定されていれば、管理者と指定されたユーザのみが、該当する受信ファイルと受信管理部３８の受信管理データに、アクセスできる。アクセスすべきユーザが特定されていない場合、管理者及び、受信側で保護が必要な情報に対するアクセス権限があるとされているユーザが、受信管理データや受信ファイルにアクセスできる。保護が必要な情報を含む受信ファイルに対してアクセスし得るユーザの範囲は、例えば送信元やその他のキーワード毎にユーザ名を定めたテーブルなどで管理しても良い。
【００２４】
図２に送信データ５０への保護属性のセットを示す。端末５，６等から、あるいはユーザインターフェース３４から、ｅメールやインターネットファクシミリ，Ｇ３ファクシミリ，あるいはネットワークプリンタ１２への出力などの送信が予約されると、端末５，６やユーザインターフェース３４には、保護が必要な情報を含むかどうかの設定ボタンが表示される。このボタンにユーザがタッチすることにより、マニュアルで保護属性をセットできる。インターネット１０やＰＳＴＮ１４などから受信したデータの場合、通信プロトコルを用いて保護属性をセットできる。例えば保護が必要な情報の通信に通信プロトコル上の取り決めを行うと、この取り決めが実行されているか否かから保護属性をセットできる。また受信文書中のキーワードや、端末５，６やユーザインターフェース３４から入力された送信データ中のキーワードを検索することによっても、保護属性がセットできる。
【００２５】
保護を必要とする情報は多くの場合個人情報であり、複合機２の使用環境によって、どのような情報が問題になるかは予め定まっている。そこでキーワードのリストを保護属性設定部４２が記憶し、このキーワードが含まれるかどうかを検索しても良い。これ以外に送信予約などの操作を行ったユーザ名や、送信予約などの操作で用いられた操作パターンなどにより、保護属性をセットできる。例えば保護情報を取り扱うユーザが限られている場合、これらのユーザが送信予約を行えば、自動的に保護属性をセットすることができる。また保護が必要な情報を含むデータの送信に特定の操作パターンがある場合、これらの操作パターンを予め登録しておくことにより、保護属性を自動的にセットできる。セットされた保護属性は送信データと一体であり、受信側で適切な処理が行えるように、送信ファイルのヘッダの一部、もしくはファイル名の一部などとして送信される。Ｇ３ファクシミリやネットワークプリンタへの出力では、カバーページやメッセージを付加して送信される。図２では送信データに対する保護属性のセットを示したが、送信データ以外の任意のファイルに対しても同様に保護属性をセットできる。
【００２６】
図３に、送信管理部３６での送信管理データの取扱いを示す。送信データ５０に対し保護属性５２がセットされているものとする。この場合、送信予約時に端末５，６もしくはユーザインターフェース３４に受け付け番号が表示され、ユーザインターフェース３４の場合、受け付け番号を単に表示するだけでなくプリントすることもできる。通信管理データ５４には、送信先や送信の実行状態(待機中／実行中／送信済み)、送信結果、タイトル、及びｅメール形式で送信した場合の送信先での既読の有無などが含まれている。これらのうちで送信先やタイトルは保護が必要な情報を漏洩させる原因となりかねないので、保護属性がセットされると送信先とタイトルがマスクされ、もしくは表示されない。これに代わって端末５，６やユーザインターフェース３４などから例えば受け付け番号を入力すると、送信待ちか送信中か送信済みか、並びに送信結果や既読の有無などの送信管理データが出力される。通信管理データ５４を送信フォルダなどにリストして示す場合、保護属性がセットされている送信データに対しては、送信先とタイトルを表示せずに代わりに受け付け番号を表示する。ここで受け付け番号のある送信予約に対しては、送信フォルダには当初、送信管理データを表示せず、受け付け番号が入力された時点で初めて該当する送信管理データを表示するようにしても良い。この場合でも好ましくは、送信先とタイトルをマスクして表示する。
【００２７】
送信先や送信データが漏洩する原因として、送信に失敗した際のエラーレポートや、送信結果をリストした送信管理レポートなどがある。これらのレポートでは、受け付け番号が発行されている送信予約に対して、受け付け番号と送信結果あるいはエラーが生じたことを表示して、送信先やタイトルは表示しないようにする。特にエラーレポートに、送信画像を表示しないようにする。これらによって、送信管理データやそれに関連するエラーレポートや送信管理レポートなどから、保護が必要な情報が漏洩する可能性を小さくできる。
【００２８】
図４に、保護が必要な情報の送信アルゴリズムを示す。保護が必要な情報を送信する場合(ステップ１)、受け付け番号を発生させ、受け付け番号を送信管理データに記憶する(ステップ３)。保護が必要な情報を含まない場合、通常の送信予約処理を行う(ステップ２)。保護が必要な情報に対して、送信予約を行った端末もしくはユーザインターフェースに受け付け番号を表示する。ここで通信端末装置のユーザインターフェースから送信予約が行われた場合、ユーザインターフェースで受け付け番号を表示すると共に、通信端末装置のプリンタで受け付け番号をプリントする(ステップ４)。さらにパスワードや指紋データなどの認証データの入力を受け付け、あるいはパスワードなどの認証データを通信端末装置側から発行して、送信予約を行った端末もしくはユーザインターフェースに表示する。ただし認証手続は省略しても良い。送信予約処理を行うと(ステップ５)、送信管理データでは送信先とタイトルをマスクし、もしくは空欄として表示しないようにし、受け付け番号で送信予約(送信ジョブ)を特定して、送信状況を表示もしくはプリントする(ステップ６)。そして送信管理レポートや送信フォルダの表示もしくはエラーレポートなども、受け付け番号で送信ジョブを特定し、送信先やタイトル、送信画像を表示しないようにする。管理者もしくは送信予約を行ったユーザのように、保護が必要な情報に対するアクセス権限のある者に対しては、ステップ７で認証を行い、認証されると送信先やタイトルなどのマスクを解除し、これらを含めた送信管理データを表示し、またアクセス権限の範囲で、送信の中止や、送信データの削除、転送、配信、プリント、表示などを認める(ステップ８)。
【００２９】
実施例では、保護が必要な情報が送信管理データを介して漏洩することを防止でき、特に送信先から保護が必要な情報が漏洩することを防止できる。ここで送信予約を行ったユーザに受け付け番号を発行するので、送信状況を受け付け番号で管理できる。また送信管理レポートや送信フォルダあるいはエラーレポートなどから、保護が必要な情報の送信先やタイトルなどが漏洩することを防止できる。そしてエラーレポートには送信画像を表示しないことにより、エラーレポートから保護が必要な情報が漏洩することを防止できる。管理者や権限のあるユーザは、保護が必要な情報に対して、権限範囲でのアクセスができるので、必要な処理を行うことができる。
【図面の簡単な説明】
【００３０】
【図１】実施例の複合機とその使用環境とを示すブロック図
【図２】実施例での、"保護が必要な情報"(ＩＲＰ)の属性セットを示す図
【図３】実施例での、"保護が必要な情報"に関する送信管理データの取り扱いを示す図
【図４】実施例での、"保護が必要な情報"の送信アルゴリズムを示すフローチャート
【符号の説明】
【００３１】
２          複合機
４          ＬＡＮ
５          管理者端末
６          ユーザ端末
８          ゲートウェイ
１０        インターネット
１２        ネットワークプリンタ
１４        公衆電話回線網
１６        ＬＡＮインターフェース
１８        スキャナ
２０        プリンタ
２２        Ｇ３ファクシミリ処理部
２４        ＨＴＴＰサーバ
２６        ＳＭＴＰサーバ
２８        ＰＯＰサーバ
３０        ファイルメモリ
３２        インデックスメモリ
３４        ユーザインターフェース
３６        送信管理部
３８        受信管理部
４０        ログファイル
４２        保護属性設定部
４４        権限認証部
４６        アクセス制限部
５０        送信データ
５２        保護属性
５４        送信管理データ  
【図１】
2008053779.tif 000003
【図２】
2008053779.tif 000004
【図３】
2008053779.tif 000005
【図４】
2008053779.tif 000006
【手続補正書】
【提出日】平成18年9月4日(2006.9.4)
【手続補正１】
【補正対象書類名】明細書
【補正対象項目名】００３１
【補正方法】変更
【補正の内容】
【００３１】
２          複合機
４          ＬＡＮ
５          管理者端末
６          ユーザ端末
８          ゲートウェイ
１０        インターネット
１２        ネットワークプリンタ
１４        公衆電話回線網
１６        ＬＡＮインターフェース
１８        スキャナ
２０        プリンタ
２２        Ｇ３ファクシミリ処理部
２４        ＨＴＴＰサーバ
２６        ＳＭＴＰクライアント
２８        ＰＯＰクライアント
３０        ファイルメモリ
３２        インデックスメモリ
３４        ユーザインターフェース
３６        送信管理部
３８        受信管理部
４０        ログファイル
４２        保護属性設定部
４４        権限認証部
４６        アクセス制限部
５０        送信データ
５２        保護属性
５４        送信管理データ